(57)【要約】【課題】スイッチ接点部への異物の侵入を抑制し得るインヒビタスイッチを提供すること。【解決手段】  自動変速機のシフトの選択に応じて移動するスライド部材と、スライド部材に設けられたスイッチ接点部と、スライド部材の移動に応じたスイッチ接点部のスライド移動によって該スイッチ接点部の端子との導通状態が変化するように固定端子が配列されたベース部材と、を備え、スライド部材には、スイッチ接点部を外部から遮蔽する遮蔽部材が設けられたインヒビタスイッチを提供する。【選択図】図３
2019008997.tif 000002
【特許請求の範囲】
【請求項１】
自動変速機のシフトの選択に応じて移動するスライド部材と、前記スライド部材に設けられたスイッチ接点部と、前記スライド部材の移動に応じた前記スイッチ接点部のスライド移動によって該スイッチ接点部の端子との導通状態が変化するように固定端子が配列されたベース部材と、を備えたインヒビタスイッチであって、
前記スライド部材には、前記スイッチ接点部を外部から遮蔽する遮蔽部材が設けられたことを特徴とする、
インヒビタスイッチ。
【請求項２】
請求項１に記載のインヒビタスイッチであって、
前記ベース部材には、前記スイッチ接点部を前記スライド移動の方向に沿って覆うように伸長するとともに、伸長方向における両端が開放されたケースが設けられ、
前記遮蔽部材は、前記スイッチ接点部における前記スライド移動の方向の両端において前記ケースの断面領域の少なくとも一部を塞ぐように設けられた遮蔽板として形成される、
インヒビタスイッチ。
【請求項３】
請求項２に記載のインヒビタスイッチであって、
前記遮蔽板は、前記ベース部材における前記スイッチ接点部との対向面に対して所定長さの間隙を残して前記ケースの断面領域を塞ぐ面積に構成され、
前記間隙の長さは、前記スイッチ接点部に供給されるべき潤滑油の通過を許容しつつ、該潤滑油に含まれる異物の侵入を遮断できるように設定される、
インヒビタスイッチ。
【請求項４】
請求項１〜３の何れか１項に記載のインヒビタスイッチであって、
前記ベース部材は、前記スイッチ接点部に対して下方に配置され、
前記ベース部材における前記スイッチ接点部との対向面には、前記スライド移動の方向に沿って所定長さ伸長する溝部が形成された、
インヒビタスイッチ。
【請求項５】
請求項４に記載のインヒビタスイッチであって、
上記溝部の少なくとも上部領域は、溝幅が上方に向かって漸次広くなる形状に形成される、
インヒビタスイッチ。
【請求項６】
請求項４又は５に記載のインヒビタスイッチであって、
前記スイッチ接点部には、前記溝部に侵入する溝部侵入部が設けられた、
インヒビタスイッチ。
【発明の詳細な説明】
【技術分野】
【０００１】
本発明は、インヒビタスイッチに関する。
【背景技術】
【０００２】
自動変速機において、例えばシフトピンがニュートラルレンジやパーキングレンジにある際に、エンジンが始動されることを防ぐため、選択されたレンジを電気信号として検出する（シフトポジション検出装置）インヒビタスイッチが知られている。
【０００３】
例えば、特許文献１のインヒビタスイッチは、ベースブラケットとシフトピンと、を備えており、シフトピンに連動してベースブラケット内の連動部材が位置検出センサに対して相対的に摺動する。さらに、特許文献１のインヒビタスイッチでは、連動部材の案内溝内に入り込んだ異物を排出する条溝が形成される。
【０００４】
また、特許文献２のインヒビタスイッチでは、スライダの移動領域を、ハウジングによって遮蔽することで、ハウジングの案内レールに異物が付着することを防止している。さらに、ハウジングのスライド移動方向における前後の端面を開放端とし、案内レールに異物が付着した場合には、スライダにより開放端から異物を排出する。
【先行技術文献】
【特許文献】
【０００５】
【特許文献１】特開２００８−１６３９８５号公報
【特許文献２】特開２０１２−１３１３７号公報
【発明の概要】
【発明が解決しようとする課題】
【０００６】
インヒビタスイッチには、スライダのベース部材に対する相対移動を円滑にすべく、スライダとベース部材の間に油が供給される。したがって、この油中に異物が含まれていると、当該異物がスイッチ接点部に侵入する。
【０００７】
このような状況に対して、特許文献１及び２に代表される従来のインヒビタスイッチでは、スライダとベース部材であるベースブラケット又はハウジングに対して何ら対策はなされていないため、スイッチ接点部に異物が侵入する恐れがある。
【０００８】
より詳細には、特許文献１のインヒビタスイッチでは、センサ基板と連動部材の間から、センサ基板の位置検出センサと接触する連動部材の接点部に異物が侵入する恐れがある。また、特許文献２のインヒビタスイッチでは、スライド移動方向における前後の端面を開放端を介してスライダの可動センサの部分に異物が侵入する恐れがある。
【０００９】
本発明は、このような事情に鑑みてなされたものであり、その目的は、スイッチ接点部への異物の侵入を抑制し得るインヒビタスイッチを提供することにある。
【課題を解決するための手段】
【００１０】
本発明のある態様によれば、自動変速機のシフトの選択に応じて移動するスライド部材と、スライド部材に設けられたスイッチ接点部と、スライド部材の移動に応じたスイッチ接点部のスライド移動によって該スイッチ接点部の端子との導通状態が変化するように固定端子が配列されたベース部材と、を備えたインヒビタスイッチが提供される。そして、このインヒビタスイッチでは、スライド部材には、スイッチ接点部を外部から遮蔽する遮蔽部材が設けられる。
【発明の効果】
【００１１】
本発明によれば、遮蔽部材により、スイッチ接点部とベース部材の間への異物の侵入が抑制される。したがって、スイッチ接点部の端子への異物の付着を抑制し、結果としてこれに起因する当該端子の破損及び接触不良等の不具合を抑制することができる。
【図面の簡単な説明】
【００１２】
【図１】図１は、第１実施形態によるインヒビタスイッチの概略正面図である。
【図２】図２は、第１実施形態によるインヒビタスイッチの概略平面図である。
【図３】図３は、第１実施形態によるインヒビタスイッチの概略側面図である。
【図４】図４は、第２実施形態によるインヒビタスイッチの概略正面図である。
【図５】図５は、第２実施形態によるインヒビタスイッチの要部斜視図である。
【図６】図６は、第２実施形態によるインヒビタスイッチの概略側面図である。
【発明を実施するための形態】
【００１３】
（第１実施形態）
以下、図面を参照し、本発明の第１実施形態に係るインヒビタスイッチについて説明する。
【００１４】
図１〜図３は、本実施形態に係るインヒビタスイッチ１０の構成を説明する図である。特に、図１は、インヒビタスイッチ１０の概略正面図である。また、図２は、インヒビタスイッチ１０の概略平面図である。さらに、図３は、インヒビタスイッチ１０の概略側面図である。
【００１５】
本実施形態におけるインヒビタスイッチ１０は、車両内の所定位置、例えば図示しない自動変速機の変速機ケース内の上方などに配置される。インヒビタスイッチ１０は、スライド部材１３と、スライド部材１３に設けられたスイッチ接点部１４と、ベース部材１６と、ベース部材１６を覆うケース２４と、を有している。
【００１６】
スライド部材１３は、図のＸ軸方向の一端部が図示しない自動変速機のシフトの選択に応じて変位するシフトピン１７に連結され、シフトピン１７の変位に伴い図のＸ軸方向に沿って往復移動する。
【００１７】
スイッチ接点部１４は、スライド部材１３のＸ軸方向の他端部に連結される（特に図３参照）。したがって、スイッチ接点部１４は、スライド部材１３の移動に従動してスライド移動する。より詳細に、スイッチ接点部１４は、ケース２４内においてベース部材１６上をＸ軸方向に沿ってスライド移動する（図３の矢印Ａ参照）。
【００１８】
また、スイッチ接点部１４には、幅方向（図のＹ軸方向）の略全域に沿って、略等間隔に複数（図１では５つ）配置された可動端子１８が設けられている。
【００１９】
一方、ベース部材１６は、Ｙ軸方向に沿って上記スイッチ接点部１４の幅よりも大きい幅を有し、スイッチ接点部１４に対向配置されている。そして、ベース部材１６におけるスイッチ接点部１４との対向面１６ａには、スイッチ接点部１４の可動端子１８と接触する固定端子２０が設けられている。
【００２０】
固定端子２０は、スイッチ接点部１４においてＹ軸方向に並列する各可動端子１８に対応したベース部材１６の各レーン２２に沿って複数並列して配置されている。さらに、明示はしないが、固定端子２０は、各レーン２２ごとにＸ軸方向に沿って異なるパターンで配置されている。なお、各レーン２２の固定端子２０は自動変速機の図示しない制御ユニットに電気的に接続されている。
【００２１】
上記構成により、各レーン２２に応じて固定端子２０と可動端子１８の導通範囲が異なっている。これにより、スイッチ接点部１４のスライド移動による可動端子１８と固定端子２０の接続状態の変化に応じて導通状態が変化し、制御ユニットへ入力される信号が切り替わる。
【００２２】
さらに、ベース部材１６の各レーン２２は、Ｘ軸方向に沿って該ベース部材の全域に伸長する複数のガイドレール２９により画定される。本実施形態では、５つのレーン２２を画定するように６つのガイドレール２９が、Ｙ軸方向に並列して設けられている。
【００２３】
そして、本実施形態のインヒビタスイッチ１０では、スイッチ接点部１４の可動端子１８とベース部材１６（又は固定端子２０）の摺動を円滑にするべく、自動変速機の図示しない変速ケース内等で使用される潤滑油Ｏが、可動端子１８とベース部材１６との摺動部に供給される。
【００２４】
さらに、ケース２４は、スイッチ接点部１４の周囲を覆うようにＸ軸方向に沿って伸長する中空形状に形成される。特に、ケース２４は、ベース部材１６のＸ軸方向の伸長領域の略全域に亘って延在するように構成されている。したがって、スイッチ接点部１４がベース部材１６上の任意のスライド位置を取っていても、当該スイッチ接点部１４の側面及び上面が覆われる。
【００２５】
また、ケース２４は、Ｘ軸方向における両端の端面２５，２５が開放されている。したがって、上述の自動変速機における図示しない変速機構で用いられる可動端子１８とベース部材１６との摺動部に供給されるべき潤滑油Ｏは、この両端の端面２５，２５の少なくとも何れか一方からスイッチ接点部１４とベース部材１６の間に侵入させる。
【００２６】
さらに、上述の構成に加え、本実施形態では、スイッチ接点部１４に可動端子１８を外部から遮蔽する遮蔽部材としての一方遮蔽板２６及び他方遮蔽板２８が設けられている。
【００２７】
一方遮蔽板２６は、ケース２４のＸ軸方向と直交する断面領域の大部分を塞ぐ面積を有する板状部材であり、スイッチ接点部１４のＸ軸方向の一方端部１４ａに設けられている。すなわち、一方遮蔽板２６は、スイッチ接点部１４における可動端子１８のＹ軸方向に沿った配置領域の全域をカバーするＹ軸方向長さを有する。
【００２８】
さらに、一方遮蔽板２６は、Ｚ軸方向における一端面２６ａがケース２４の天板２４ａに接するように構成されている。また、一方遮蔽板２６は、その他端側において、各ガイドレール２９の位置に対向して凹部２６ｃが複数箇所（図１では４箇所）形成されている。各凹部２６ｃは、スライド部材１３のスライド移動に伴う各ガイドレール２９の摺動が許容されるように該各ガイドレール２９と係合する略矩形状に形成されている。
【００２９】
また、一方遮蔽板２６の他端面２６ｂは、ベース部材１６の対向面１６ａから所定の間隙ｄを形成し得る寸法に構成される。
【００３０】
ここで、所定の間隙ｄは、スイッチ接点部１４とベース部材１６の間に供給される潤滑油Ｏの通過を許容しつつも、粒子状の異物ｆを遮断できる大きさに設定されることが好ましい。
【００３１】
一方、他方遮蔽板２８は、スイッチ接点部１４のＹ軸方向の他方端部１４ｂに設けられている点を除いて、一方遮蔽板２６と同様の構成を有する。したがって、その詳細な説明及び図示は省略する。
【００３２】
本実施形態では、この一方遮蔽板２６及び他方遮蔽板２８により、潤滑油中に含まれる異物ｆがスイッチ接点部１４の可動端子１８が配置されている領域に侵入することを抑制できる。したがって、可動端子１８に異物ｆが付着することに起因する可動端子１８の破損及び接触不良等の不具合を抑制することができる。特に、一方遮蔽板２６及び他方遮蔽板２８がスイッチ接点部１４に設けられているので、当該一方遮蔽板２６及び他方遮蔽板２８が可動端子１８への配置領域への異物ｆの侵入を抑制する状態を、スイッチ接点部１４のスライド位置にかかわらず維持することができる。
【００３３】
以上説明した第１実施形態に係るインヒビタスイッチ１０による作用効果を以下に説明する。
【００３４】
本実施形態のインヒビタスイッチ１０は、自動変速機のシフトの選択に応じて移動するスライド部材１３と、スライド部材１３に設けられたスイッチ接点部１４と、スライド部材１３の移動に応じたスイッチ接点部１４のスライド移動によって該スイッチ接点部１４の端子である可動端子１８との導通状態が変化するように固定端子２０が配列されたベース部材１６と、を備える。そして、スライド部材１３には、スイッチ接点部１４を外部から遮蔽する遮蔽部材としての一方遮蔽板２６及び他方遮蔽板２８が設けられる。
【００３５】
これによれば、一方遮蔽板２６及び他方遮蔽板２８により、スイッチ接点部１４とベース部材１６の間への異物ｆの侵入が抑制される。したがって、スイッチ接点部１４の可動端子１８への異物ｆの付着を抑制し、結果としてこれに起因する可動端子１８の破損及び接触不良等の不具合を抑制することができる（請求項１に対応する効果）。
【００３６】
特に、一方遮蔽板２６及び他方遮蔽板２８がスイッチ接点部１４自体に設けられているので、これら一方遮蔽板２６及び他方遮蔽板２８がスイッチ接点部１４のスライド移動に従動する。したがって、スイッチ接点部１４への異物ｆの侵入を防止する機能をスイッチ接点部１４が任意のスライド位置にある場合であっても発揮することができる。
【００３７】
また、本実施形態のインヒビタスイッチ１０において、ベース部材１６には、スイッチ接点部１４を上記スライド移動の方向に沿って覆うように伸長するとともに、伸長方向（Ｘ軸方向）における両端が開放されたケース２４が設けられる。そして、遮蔽部材である一方遮蔽板２６及び他方遮蔽板２８が、スイッチ接点部１４におけるスライド移動の方向の両端においてケース２４の断面領域を塞ぐように設けられた遮蔽板として形成される。
【００３８】
これにより、スイッチ接点部１４において、潤滑油Ｏの供給経路となるケース２４の開放された両端の端面２５，２５に対向する断面領域が閉塞されることとなる。したがって、潤滑油Ｏ中の異物ｆがスイッチ接点部１４へ侵入することをより効果的且つ簡素な構成で実現することができる（請求項２に対応する効果）。
【００３９】
さらに、本実施形態のインヒビタスイッチ１０では、一方遮蔽板２６及び他方遮蔽板２８は、ベース部材１６におけるスイッチ接点部１４との対向面１６ａに対して所定長さの間隙ｄを残してケース２４の断面領域を塞ぐ面積に構成される。そして、間隙ｄの長さは、スイッチ接点部１４に供給されるべき潤滑油Ｏの通過を許容しつつ、潤滑油Ｏに含まれる異物ｆの侵入を遮断できるように設定される（図３参照）。
【００４０】
これにより、ケース２４の両端の開放された端面２５，２５を介したスイッチ接点部１４への潤滑油Ｏの供給路を確保及び異物ｆの侵入の抑制を、より簡易な構成で実現することができる（請求項３に対応する効果）。
【００４１】
（第２実施形態）
以下、第２実施形態について説明する。なお、第１実施形態と同様の要素には同一の符号を付し、その説明を省略する。
【００４２】
図４〜図６は、本実施形態に係るインヒビタスイッチ１０の構成を説明する図である。特に、図４は、インヒビタスイッチ１０の概略正面図である。また、図５は、インヒビタスイッチ１０の要部斜視図である。さらに、図６は、インヒビタスイッチ１０の概略側面図である。なお、図５では、スイッチ接点部１４の構成を示すため、一方遮蔽板２６を破線で示している。
【００４３】
本実施形態に係るインヒビタスイッチ１０では、ベース部材１６が、スイッチ接点部１４に対して下方に配置される。すなわち、各図においてＺ軸の正の方向が鉛直上方向となる。そして、本実施形態のインヒビタスイッチ１０では、第１実施形態で説明したベース部材１６の各ガイドレール２９が設けられておらず、一方遮蔽板２６（他方遮蔽板２８も同様）は各凹部２６ｃが形成されていない板状体に構成されている。
【００４４】
また、本実施形態に係るインヒビタスイッチ１０では、ベース部材１６に溝部３０が形成されるとともに、スイッチ接点部１４に溝部侵入部としてのガイド／掻き出し部材３２が設けられている。本実施形態では、このガイド／掻き出し部材３２（掻き出し板３２ｂ）が第１実施形態の各ガイドレール２９の機能を果たし、溝部３０が第１実施形態の各凹部２６ｃの機能を果たす。以下、溝部３０及びガイド／掻き出し部材３２の具体的構成を説明する。
【００４５】
溝部３０は、各レーン２２を挟むように複数（図４では６つ）設けられている。溝部３０は、ベース部材１６の各レーン２２の全域に沿って伸長する。すなわち、第１実施形態の各ガイドレール２９とほぼ同じ位置に設けられ、各レーン２２を画定する。
【００４６】
また、溝部３０は、下部領域に形成される異物ポケット３０ａと上部領域に形成される異物誘導傾斜面３０ｂを有している。
【００４７】
異物ポケット３０ａは、上方に向かって開放する断面略コ字状に形成されている。また、異物誘導傾斜面３０ｂは、上方に向かって漸次溝幅が広くなる形状に形成される。特に、本実施形態において、異物誘導傾斜面３０ｂは、その内周面が異物ポケット３０ａの上部開放端から相互に離間するように傾斜したテーパ形状に形成されている。すなわち、異物誘導傾斜面３０ｂは、上方に向かうにつれて漸次溝幅が広くなる形状となっている。
【００４８】
このような構成の異物誘導傾斜面３０ｂを設けたことにより、第１実施形態で説明した一方遮蔽板２６及び他方遮蔽板２８によって遮断しきれない異物ｆが、ベース部材１６とスイッチ接点部１４の間の摺動部に侵入したとしても、当該異物ｆを異物誘導傾斜面３０ｂを介して異物ポケット３０ａに集めることができる。すなわち、異物ｆが可動端子１８に付着することをより好適に抑制することができる。
【００４９】
一方、スイッチ接点部１４に設けられたガイド／掻き出し部材３２は、基部３２ａと、基部３２ａに一体に形成される溝部侵入部としての掻き出し板３２ｂと、を有している。
【００５０】
基部３２ａは、スイッチ接点部１４に固着され、ケース２４の幅方向（図のＹ軸方向）の略全域に亘って伸長するとともに、スライド移動方向（図のＸ軸方向）において所定長さに亘る板状に形成される。
【００５１】
また、掻き出し板３２ｂは、各溝部３０の異物ポケット３０ａの内部形状に合わせた断面略矩形状に形成される。そして、本実施形態において、掻き出し板３２ｂは、全ての溝部３０に侵入（係合）させることが可能となるように、各溝部３０に対向してＹ軸方向に沿って並列して設けられている。
【００５２】
上記構成の掻き出し板３２ｂは、スイッチ接点部１４のスライド移動に応じて各溝部３０の異物ポケット３０ａ内を摺動しつつ移動する。これにより、掻き出し板３２ｂは、第１実施形態の各ガイドレール２９と同様にスライド部材１３のガイド機能を実現できる。それに加えて、掻き出し板３２ｂは、異物誘導傾斜面３０ｂを介して異物ポケット３０ａに集められた異物ｆを、スイッチ接点部１４のスライド移動に併せて異物ポケット３０ａから外部に排出する。すなわち、異物ポケット３０ａに異物ｆが多量に集積しても、スイッチ接点部１４のスライド移動のタイミングで当該異物ｆを排出することができる。
【００５３】
以上説明した第２実施形態に係るインヒビタスイッチ１０による作用効果を以下に説明する。
【００５４】
本実施形態のインヒビタスイッチ１０では、ベース部材１６は、スイッチ接点部１４に対して下方に配置される。そして、ベース部材１６におけるスイッチ接点部１４との対向面１６ａには、スライド移動方向（図のＸ軸方向）に沿って所定長さ伸長する溝部３０が形成される。
【００５５】
これにより、一方遮蔽板２６及び他方遮蔽板２８によって遮断しきれない異物ｆが、スイッチ接点部１４付近に侵入したとしても、当該異物ｆはスイッチ接点部１４より下方のベース部材１６の対向面１６ａに形成された溝部３０に集まることとなる。したがって、異物ｆの可動端子１８への付着をより好適に抑制することができる（請求項４に対応する効果）。
【００５６】
特に、本実施形態では、溝部３０の上部領域である異物誘導傾斜面３０ｂは、溝幅が漸次広くなる形状に形成される。
【００５７】
これにより、ベース部材１６とスイッチ接点部１４の間の摺動部に侵入した異物ｆは、溝幅が上方に向かって漸次広くなる異物誘導傾斜面３０ｂにより溝部３０の下部領域である異物ポケット３０ａに誘導される。したがって、一方遮蔽板２６及び他方遮蔽板２８によって遮断しきれない異物ｆがより溝部３０に集積され易くなるので、当該異物ｆの可動端子１８への付着をより好適に防止することができる（請求項５に対応する効果）。
【００５８】
さらに、本実施形態においては、スイッチ接点部１４に溝部３０に侵入する溝部侵入部としての掻き出し板３２ｂが設けられる。
【００５９】
これにより、上述のように溝部３０に集められた異物ｆは、スイッチ接点部１４のスライド移動にともない、掻き出し板３２ｂによって溝部３０から外部に排出される。すなわち、溝部３０に異物ｆが大量に集積しても、スイッチ接点部１４のスライド移動のタイミングで当該異物ｆをベース部材１６の両端部から外部に排出することができる。したがって、上述のように異物ｆの可動端子１８への付着をより好適に防止しつつも、溝部３０に異物ｆが過度に集積されることを抑制することができる（請求項６に対応する効果）。
【００６０】
特に、溝部３０に異物ｆが過度に集積されると、掻き出し板３２ｂの溝部３０内におけるスライド移動が阻害され、ひいてはスイッチ接点部１４のスライド移動にも影響を与える可能性が考えられる。これに対して、本実施形態の構成の掻き出し板３２ｂが設けられることで、インヒビタスイッチ１０を機能させるための必然的な動作であるスイッチ接点部１４のスライド移動のタイミングで溝部３０内から異物ｆを排出することができる。すなわち、インヒビタスイッチ１０を機能させるために必要なスライド部材１３のスライド動作以外の特別な動作を要求する機構を設けることなく、溝部３０内における異物ｆの大量の集積を抑制してスイッチ接点部１４のスライド機能をより好適に維持することができる。
【００６１】
なお、本発明は上述の実施形態に限定されずに、その技術的な思想の範囲内において種々の変更がなしうることは明白である。
【００６２】
例えば、上記各実施形態のインヒビタスイッチ１０は、自動変速機における図示しない変速ケース内で使用される潤滑油Ｏがスイッチ接点部１４とベース部材１６の間の摺動部に供給されるものを想定している。すなわち、自動変速機とは別の空間に配置され（気中配置）、適宜、自動変速機内で使用される潤滑油Ｏをインヒビタスイッチ１０に供給することを想定している。しかしながら、これに限られず、インヒビタスイッチ１０は、例えば自動変速機内のオイルパン内等に配置された常時潤滑油Ｏに浸潤されるインヒビタスイッチに対しても、上記各実施形態の構成を適用することができる。
【００６３】
また、上記第２実施形態において、ベース部材１６に溝部３０を設け且つ、溝部３０に侵入する掻き出し板３２ｂを有するガイド／掻き出し部材３２をスイッチ接点部１４に設けた例を説明した。しかしながら、スライド部材１３のベース部材１６に対するガイド機能を別途確保した上でガイド／掻き出し部材３２を設けず、溝部３０のみを設けても良い。
【００６４】
特に、スイッチ接点部１４のスライド移動にも影響を与えるほど異物ｆの溝部３０内への集積量が多くならないと考えられる場合、又はガイド／掻き出し部材３２を設けずとも潤滑油Ｏの流れ等により溝部３０からの異物ｆの排出が見込まれる場合においては、ガイド／掻き出し部材３２を設けないようにすることで構成の簡略化を図ることができる。
【００６５】
また、溝部３０の形状も当業者が想定し得る範囲で任意に変更することが可能である。さらに、一方遮蔽板２６及び他方遮蔽板２８も、上記実施形態で形態に限られるものではなく、スイッチ接点部１４への異物ｆの侵入を抑制する機能を果たす構成であれば任意の構成のものを採用できる。
【符号の説明】
【００６６】
１０    インヒビタスイッチ
１３    スライド部材
１４    スイッチ接点部
１４ａ  一方端部
１４ｂ  他方端部
１６    ベース部材
１６ａ  対向面
１８    可動端子 （端子）
２０    固定端子
２２    レーン
２４    ケース
２４ａ  天板
２５    端面
２６    一方遮蔽板
２６ａ  一端面
２６ｂ  他端面
２８    他方遮蔽板
３０    溝部
３０ａ  異物ポケット
３０ｂ  異物誘導傾斜面
３２ｂ  ガイド／掻き出し部材（溝部侵入部）
【図１】
2019008997.tif 000003
【図２】
2019008997.tif 000004
【図３】
2019008997.tif 000005
【図４】
2019008997.tif 000006
【図５】
2019008997.tif 000007
【図６】
2019008997.tif 000008